(57)【特許請求の範囲】
【請求項１】
走行自在に立設されたガイドポストの外周面にそわせてチエン部材を無端回動自在に巻装し、このチエン部材に掘削刃を設けた連続壁掘削機において、前記チエン部材の外面側に掘進用掘削刃を突設するとともに内面側に掘削土砂押付け用テーパー面を有する側壁面強化用掘削刃を突設し、前記側壁面強化用掘削刃による掘削幅を前記掘進用掘削刃による掘削幅より大としたことを特徴とする連続壁掘削機における掘削刃構造。
【請求項２】
前記掘進用掘削刃の突出長さが前記チエン部材の回動方向にそって徐々に増すように、切削刃の長さを異ならせて突設した変形掘削刃領域を前記チエン部材に少くとも１箇所以上有していることを特徴とする請求項１に記載の連続壁掘削機における掘削刃構造。
【発明の詳細な説明】
【０００１】
【発明の属する技術分野】
本発明は、地中に連続壁を造成するための連続壁掘削機に係り、特にその掘削刃構造に関する。
【０００２】
【従来の技術】
従来、地中に連続壁を造成する装置として、走行自在なベースマシンに立設されたガイドポストの外周面にそわせてチエン部材を無端回動自在に巻装し、このチエン部材の外面に掘削刃を設け、前記ガイドポストを縦穴内に挿入してチエン部材を回動させるとともにベースマシンを連続壁造成方向へ移動させてチエン部材の掘削刃により地盤を切り進み、同時にセメントミルク等の薬液を供給して土砂と混合させることにより連続壁を造成して行くようになされたものがある。
【０００３】
【発明が解決しようとする課題】
しかるに従来の装置では、その掘削刃が地盤を切り進むためのみの働きをなさしめているため、チエン部材の外面側だけに掘削刃が設けられたものであり、それ故掘削して切り進む方向に対し左右の側面となる掘削壁面が荒れやすく、側壁面の崩壊が起きやすいという問題点があった。
【０００４】
一方、従来の掘削刃は、チエン部材の外面に均等長さで突出されていたため、掘進時における地盤への食い込み力が屡々不足をきたして掘進不能に陥入ることがあり、そのためガイドポストを傾斜させるなど余分な手段を講じる必要があるという問題点があった。
【０００５】
【課題を解決するための手段】
本発明は、連続壁造成時における掘削側壁面を強化するとともに、掘進方向への掘削能力の増大を図ることを目的になされたものである。
【０００６】
上記目的を達成するために本発明は、走行自在に立設されたガイドポストの外周面にそわせてチエン部材を無端回動自在に巻装し、このチエン部材に掘削刃を設けた連続壁掘削機において、前記チエン部材の外面側に掘進用掘削刃を突設するとともに内面側に掘削土砂押付け用テーパー面を有する側壁面強化用掘削刃を突設し、前記側壁面強化用掘削刃による掘削幅を前記掘進用掘削刃による掘削幅より大としたことを特徴とする。
【０００７】
【発明の実施の形態】
以下、本発明を図面に示す実施の形態を参照して説明する。
図１は本発明を適用する連続壁掘削機の一例を示すもので、図１（Ａ）は全体の略示側面を、図１（Ｂ）はチエン部分のみの正面を示しており、この掘削機の基本構成は従来のものと同様に走行自在なベースマシン１のフレーム２に昇降および旋回可能に立設されたガイドポスト３を有し、このガイドポスト３の外周面にそってチエン部材４が駆動装置５により無端回動自在に巻装され、このチエン部材４に掘削刃が設けられていて、チエン部材４の回動により地盤を掘削し、ベースマシン１の移動により地盤を切り進みながら掘削土砂とセメントミルク等の薬液とを混合撹拌して地中に連続壁を造成して行くことができるようになっている。
【０００８】
上記チエン部材４は、図２（Ａ）にその一部の長さ領域を拡大した側面図を、図２（Ｂ）にその一部の拡大図を、さらに図３にガイドポスト３を含む全体の水平断面図を示すように、前記チエン部材４の一つ置きのリンク４ａ，４ａ…の外面側にベースプレート６，６…が固着され、このベースプレート６の外面側に掘進用掘削刃７，７…が、ベースプレート６の内面側両側端位置に側壁面強化用掘削刃８，８がそれぞれ突設されている。
【０００９】
前記掘進用刃７は、例えば図６に示すように平面よりみて各ベースプレート６に設けられるそれぞれの掘削刃がベースプレート６の幅方向全域を埋め合うように配置して突設されている。
【００１０】
そしてチエン部材４の回動方向所要範囲（図５のＹの範囲）の掘進用掘削刃は、図２（Ａ）にその該当部分を示すように、掘進用掘削刃７1 ，７2 ，７3 のように徐々に突出長さをａ，ｂだけ異ならせてあり、この範囲が変形掘削刃領域Ｙとされている。図２（Ａ）の例では、チエン部材４の回転方向が正転、逆転の２態様をとる場合を考慮して、最も突出長さの長い掘進用掘削刃７3 を中央にしてその前後が徐々に突出長さが短くなる掘進用掘削刃７2 ，７1 を配列する形態とされている。上記変形掘削刃領域Ｙは、チエン部材４の全周のうち１箇所乃至２箇所程度設けるようにすることが好ましい。
【００１１】
前記側壁面強化用掘削刃８，８は、前記ベースプレート６の内面側両端に傾斜してテーパー面９を形成するように突設され、その刃先８ａは、図４にみられるように掘進用掘削刃７による掘削幅Ｌ1 よりも若干広い掘削幅Ｌ2 が得られるよう最外端の掘進掘削刃７，７の刃先７ａ，７ａよりも若干外側方に突出した位置とされている。
【００１２】
上記掘進用掘削刃７列を上面よりみたとき、図６（Ａ）のように複数本（図では３本）の掘削刃７′，７′，７′が他の掘削刃７より若干突出する形態とされるが、図６（Ｂ）のようなジグザク状になる配置、図６（Ｃ）のように中央が短く、両端に行くにつれて次第に長くなる谷状の配置、図６（Ｄ）のように中央が長く、両端に行くにつれて次第に短くなる山形の配置等、適宜選択することができる。
【００１３】
また前記ガイドポスト３内には、従来と同様にセメントミルク等の薬液通路が設けられており、ガイドポスト３の下端部に開口された薬液吐出口１１から掘削土砂内に薬液を注出するようになされている。
図３、図４において斜線部分は地盤を示す。
【００１４】
次に上記実施形態の作用を説明する。
【００１５】
連続壁を造成すべき地盤に予め縦孔を削孔しておき、この縦孔内にガイドポスト３を挿入したのちチエン部材４を無端回動させるとともに薬液吐出口１１からセメントミルク、ベントナイト等の薬液を供給しつつベースマシン１を連続壁造成方向に走行させる。これによりチエン部材４の外周面に突設された掘進用掘削刃７により地盤が掘削され、横方向に掘削溝が形成される。
【００１６】
上記掘削時に、チエン部材４の外面側の掘進用掘削刃７により地盤が掘削されて切り進むが、この際掘削された掘削溝の側壁面１０，１０は荒削り状態であり、ぼろぼろの状態であるが、チエン部材４の内面側の側壁面強化用掘削刃８，８の刃先８ａが掘削溝の側壁面１０，１０に当ってその側壁面１０，１０を切削するとともに、掘削された土砂を側壁面強化用掘削刃８，８のテーパ面９，９が側壁面１０，１０を押しつけるようにして進むことにより掘削面が押し固められ、これにより掘削面が微密な状態となって強化され、崩壊を起こすことが防がれる。
【００１７】
また上記掘削に際しチエン部材４の外面側の掘進用掘削刃７列の一定範囲が変形掘削刃領域Ｙとされているので、この領域の掘進用掘削刃７1 ，７2 ，７3 の短いものから順次長いものが地盤に当ることになり、その先端の刃先が順次地盤にくい込む形となって掘削され、地盤にくい込む力が集中して効率のよい切り進みを行わせることができる。
【００１８】
【発明の効果】
以上説明したように請求項１に記載の発明によれば、チエン部材の外面側に設けられる掘進用掘削刃により横方向に溝を掘削したあと、その掘削溝の側壁面をチエン部材の内面側両端に設けた側壁面強化用掘削刃のテーパー面により荒れた掘削面が押し固められるので、側壁面の掘削面が強化され、後に崩壊するような事態を防止することができ、良好な連続壁を造成することができる。
【００１９】
また請求項２によれば、掘削時に掘進用掘削刃の地盤に対するくい込みをよくし、効率のよい掘削を行うことができる。
【図面の簡単な説明】
【図１】本発明の適用対象としての連続壁掘削機の一例を示し、（Ａ）は全体の略示側面図、（Ｂ）はガイドポスト部分の正面図。
【図２】（Ａ）はチエン部材の一部の側面図、（Ｂ）は一部の拡大断面図。
【図３】ガイドポストを含む全体の水平断面図。
【図４】掘削状態を示す説明図。
【図５】チエン部材の掘進用掘削刃の配列例を示す説明図。
【図６】（Ａ）〜（Ｄ）は掘進用掘削はの水平方向の配列例を示す説明図。
【符号の説明】
１  ベースマシン
２  フレーム
３  ガイドポスト
４  チエン部材
６  ベースプレート
７（７1 ，７2 ，７3 ，７′）  掘進用掘削刃
８  側壁面強化用掘削刃
９  テーパー面
１０  側壁面
１１  薬液吐出口
【図１】
0003830646.tif 000002
【図２】
0003830646.tif 000003
【図３】
0003830646.tif 000004
【図４】
0003830646.tif 000005
【図５】
0003830646.tif 000006
【図６】
0003830646.tif 000007